【手続補正書】
【提出日】平成17年11月2日(2005.11.2)
【手続補正１】
【補正対象書類名】明細書
【補正対象項目名】発明の名称
【補正方法】変更
【補正の内容】
【発明の名称】情報処理装置、ジョブ処理方法、記憶馬体、プログラム
【手続補正２】
【補正対象書類名】明細書
【補正対象項目名】特許請求の範囲
【補正方法】変更
【補正の内容】
【特許請求の範囲】
【請求項１】  アプリケーションソフトウエアから入力された描画命令に基づき印刷ジョブを生成し、該生成される印刷ジョブを印刷装置に転送する情報処理装置であって、
順次生成される印刷ジョブを複数スプール可能なスプール手段と、
前記スプール手段から入力される複数の印刷ジョブを結合し、１つの印刷ジョブとして前記印刷装置へ転送する制御手段とを有することを特徴とする情報処理装置。
【請求項２】  前記制御手段は、入力された印刷ジョブと、該印刷ジョブに後続する次印刷ジョブの印刷制御情報との一致状態を判定する第１の判定手段と、
前記第１の判定手段により全て一致したと判定した場合に、前記印刷ジョブと前記次印刷ジョブとを結合する結合手段とを含むことを特徴とする請求項１記載の情報処理装置。
【請求項３】  前記結合手段は、前記第１の判定手段により入力された印刷ジョブと次印刷ジョブの印刷部数がともに１ページであると判定した場合に、それぞれの印刷ジョブを結合することを特徴とする請求項２記載の情報処理装置。
【請求項４】  入力された印刷ジョブと、該印刷ジョブに後続する次印刷ジョブの生成を指示したアプリケーションソフトウエアが特定のアプリケーションであるかどうかを判定する第２の判定手段を備え、
前記結合手段は、前記第２の判定手段により該印刷ジョブに後続する次印刷ジョブの生成を指示したアプリケーションソフトウエアが特定のアプリケーションソフトウエアであると判定した場合に、それぞれの印刷ジョブを結合することを特徴とする請求項２記載の情報処理装置。
【請求項５】  前記制御手段は、入力された印刷ジョブと、該印刷ジョブに後続する次印刷ジョブの印刷制御情報との一致状態を判定する第１の判定手段と、
入力された印刷ジョブと、該印刷ジョブに後続する次印刷ジョブの生成を指示したアプリケーションソフトウエアが特定のアプリケーションソフトウエアであるかどうかを判定する第２の判定手段とを備え、
前記第１の判定手段により全て一致したと判定した場合、または、前記第２の判定手段により該印刷ジョブに後続する次印刷ジョブの生成を指示したアプリケーションソフトウエアが特定のアプリケーションであると判定した場合に、前記印刷ジョブと前記次印刷ジョブとを結合する結合手段とを含むことを特徴とする請求項１記載の情報処理装置。
【請求項６】  前記制御手段は、入力された印刷ジョブと、該印刷ジョブに後続する次印刷ジョブの印刷制御情報との一致状態を判定する第１の判定手段と、
入力された印刷ジョブと、該印刷ジョブに後続する次印刷ジョブの生成を指示したアプリケーションソフトウエアが特定のアプリケーションソフトウエアであるかどうかを判定する第２の判定手段とを備え、
前記第１の判定手段により全て一致したと判定した場合、及び、前記第２の判定手段により該印刷ジョブに後続する次印刷ジョブの生成を指示したアプリケーションソフトウエアが特定のアプリケーションソフトウエアであると判定した場合に、前記印刷ジョブと前記次印刷ジョブとを結合する結合手段とを含むことを特徴とする請求項１記載の情報処理装置。
【請求項７】  前記印刷装置は、電子写真プロセスを行うエンジン部を備え、前記情報処理装置から転送される各印刷ジョブの区切り毎に、所定のリセット処理を行うことを特徴とする請求項１記載の情報処理装置。
【請求項８】  アプリケーションソフトウエアから入力された描画命令に基づき印刷ジョブを生成し、該生成される印刷ジョブを印刷装置に転送する情報処理装置におけるジョブ処理方法であって、順次生成される印刷ジョブを複数スプール可能なスプールステップと、前記スプールステップから入力される複数の印刷ジョブを結合し、１つの印刷ジョブとして前記印刷装置へ転送する制御ステップと、
を有することを特徴とするジョブ処理方法。
【請求項９】  前記制御ステップは、入力された印刷ジョブと、該印刷ジョブに後続する次印刷ジョブの印刷制御情報との一致状態を判定する第１の判定ステップと、
前記第１の判定ステップにより全て一致したと判定した場合に、前記印刷ジョブと前記次印刷ジョブとを結合する結合ステップとを含むことを特徴とする請求項６記載のジョブ処理方法。
【請求項１０】  前記結合ステップは、前記第１の判定ステップにより入力された印刷ジョブと次印刷ジョブの印刷部数がともに１ページであると判定した場合に、それぞれの印刷ジョブを結合することを特徴とする請求項９記載のジョブ処理方法。
【請求項１１】  入力された印刷ジョブと、該印刷ジョブに後続する次印刷ジョブの生成を指示したアプリケーションソフトウエアが特定のアプリケーションソフトウエアであるかどうかを判定する第２の判定ステップを備え、
前記結合ステップは、前記第２の判定ステップにより該印刷ジョブに後続する次印刷ジョブの生成を指示したアプリケーションソフトウエアが特定のアプリケーションソフトウエアであると判定した場合に、それぞれの印刷ジョブを結合することを特徴とする請求項８記載のジョブ処理方法。
【請求項１２】  前記制御ステップは、入力された印刷ジョブと、該印刷ジョブに後続する次印刷ジョブの印刷制御情報との一致状態を判定する第１の判定ステップと、
入力された印刷ジョブと、該印刷ジョブに後続する次印刷ジョブの生成を指示したアプリケーションソフトウエアが特定のアプリケーションソフトウエアであるかどうかを判定する第２の判定ステップとを備え、
前記第１の判定ステップにより全て一致したと判定した場合、または、前記第２の判定ステップにより該印刷ジョブに後続する次印刷ジョブの生成を指示したアプリケーションソフトウエアが特定のアプリケーションソフトウエアであると判定した場合に、前記印刷ジョブと前記次印刷ジョブとを結合する結合ステップとを含むことを特徴とする請求項８記載のジョブ処理方法。
【請求項１３】  前記制御ステップは、入力された印刷ジョブと、該印刷ジョブに後続する次印刷ジョブの印刷制御情報との一致状態を判定する第１の判定ステップと、
入力された印刷ジョブと、該印刷ジョブに後続する次印刷ジョブの生成を指示したアプリケーションソフトウエアが特定のアプリケーションソフトウエアであるかどうかを判定する第２の判定ステップとを備え、
前記第１の判定ステップにより全て一致したと判定した場合、及び、前記第２の判定ステップにより該印刷ジョブに後続する次印刷ジョブの生成を指示したアプリケーションソフトウエアが特定のアプリケーションソフトウエアであると判定した場合に、前記印刷ジョブと前記次印刷ジョブとを結合する結合ステップとを含むことを特徴とする請求項８記載のジョブ処理方法。
【請求項１４】  前記印刷装置は、電子写真プロセスを行うエンジン部を備え、前記情報処理装置から転送される各印刷ジョブの区切り毎に、所定のリセット処理を行うことを特徴とする請求項８記載のジョブ処理方法。
【請求項１５】  請求項８〜１４のいずれかに記載のジョブ処理方法を実現するプログラムを格納したことを特徴とするコンピュータが読み取り可能な記憶媒体。
【請求項１６】  請求項８〜１４のいずれかに記載のジョブ処理方法を実現することを特徴とするプログラム。
【手続補正３】
【補正対象書類名】明細書
【補正対象項目名】０００１
【補正方法】変更
【補正の内容】
【０００１】
【発明の属する技術分野】
本発明は、アプリケーションソフトウエアから入力された描画命令に基づき印刷ジョブを生成し、該生成される印刷ジョブを印刷装置に転送する情報処理装置のジョブ処理に関するものである。
【手続補正４】
【補正対象書類名】明細書
【補正対象項目名】００１４
【補正方法】変更
【補正の内容】
【００１４】
本発明は、上記の問題点を解決するためになされたもので、本発明の目的は、ホストベースのプリンティングシステムにおいて、何ら印刷装置側の制御を変更することなく、連続する印刷ジョブを印刷速度の低下を招かず、印刷装置が有する印刷エンジン固有の最大印刷速度を維持して連続ページ印刷を行うことが可能となる仕組みを提供することである。
【手続補正５】
【補正対象書類名】明細書
【補正対象項目名】０１１６
【補正方法】変更
【補正の内容】
【０１１６】
【発明の効果】
以上説明したように、本発明によれば、ホストベースのプリンティングシステムにおいて、何ら印刷装置側の制御を変更することなく、連続する印刷ジョブを印刷速度の低下を招かず、印刷装置が有する印刷エンジン固有の最大印刷速度を維持して連続ページ印刷を行うことができるという効果を奏する。